(57)【特許請求の範囲】
【請求項１】
上下方向に左右一対のｈ型のフレームを形成し、該フレームに沿って上下動する座席を備えた椅子において、
前記座席の両側面の前後端に回転体を回転自在に設け、
前記回転体の前後の少なくともどちらか一方に、左右の該回転体を連結するカウンターシャフトを設け、
前記座席の両側面の前後端の回転体に、左右一対に巻回する索状体を設け、
該座席の前端の側面の一方に配置するウォームギヤ機構である昇降手段を設け、
前記索状体は、上記フレームの上部に一端を固定して、該座席の後端の回転体から前端の回転体に巻回して、他端を該フレームの下部に緊張させて固定することを特徴とする座席昇降装置付き椅子。
【請求項２】
前記索状体の一端に長さを調整する伸縮手段を設け、該索状体の長さの伸縮により前記座席の傾斜角を変化させることを特徴とする請求項１記載の座席昇降装置付き椅子。
【発明の詳細な説明】
【０００１】
【発明の属する技術分野】
本発明は、座席を昇降させる椅子の装置に関するものである。
【０００２】
【従来の技術】
従来の座席を昇降させる椅子は、油圧、空気圧によって伸縮するシリンダーやジャッキ式のものモータによるものなど座席の下やフレームに固定して座席を昇降させていた。
【０００３】
【発明が解決しようとする課題】
しかし、従来の座席を昇降させる椅子は昇降装置の大きさや取付け場所などにより、座席の昇降範囲が小さくなってしまい乗り降りに不便が生じたり、フレーム数が多くなり椅子が重くなる欠点があった。
【０００４】
本発明は、構造を簡略化し、軽量かつ床面上付近まで下降でき、乗り降りを容易にするなど使いやすさの向上を目的とした座席昇降装置付き椅子を提供することにある。
【０００５】
【課題を解決するための手段】
上記の目的を達成するために請求項１記載の発明では、座席の両側面の前後端に回転体を回転自在に取り付け、前端側もしくは後端側のどちらか一方の左右の回転体をカウンターシャフトで連結する。
側面の前記回転体は、索状体で巻回される。
【０００６】
前記索状体は、座席両側面の回転体に左右一対に巻回して、フレームの上部に一端を固定してから座席の後端の回転体から前端の回転体に巻回して、他端をフレームの下部に緊張させて固定する。昇降手段は、座席の前端の側面の一方にウォームギヤ機構を設け、この部分を昇降させると、バランスチェーンの作用で、座席の前後端が索状体に噛合って同距離分移動するため、後端も昇降駆動力が作用して座席を平行に昇降させる。
【０００７】
上記の構造とすることで座席の一端に昇降手段を設けるだけで、座席をバランス良く昇降させることができ、また座席の下方はフレーム等がなく空間となるため、座席を床面付近まで下降させることができる。
【０００８】
更に、この発明には、昇降手段にウォームギヤ機構を採用した。ウォームギヤ機構は、ロック作用が働くため、座席の昇降を止めるストッパー装置やギヤードモータをブレーキ付のものにする必要がない。
【０００９】
請求項２記載の発明では、索状体の一端に索状体の長さを調整する伸縮手段を設け、伸縮手段を調節することにより座席の傾斜角を変化させることができる。
【００１０】
【発明の実施の形態】
以下、本発明の座席昇降装置付き椅子を具体化した一実施例について、図で示し説明する。
図１は、本発明の基本的な座席昇降装置付き椅子の正面図であり、図２は側面から見た断面図である。図１のように左右一対のｈ型のフレーム１は棒状の連結フレーム２、連結フレーム３、連結フレーム４によって結合されている。
【００１１】
左右一対の回転体（一例としてスプロケットとする）５，６は、座席９の前端部の両側面にスプロケット５を、後端部の両側面にスプロケット６をそれぞれ回転自在に取り付けられ、スプロケット５，６の少なくともどちらか一方の左右のスプロケット５をカウンターシャフト７の両端にそれぞれ連結する（図は例としてスプロケット５をカウンターシャフト７で連結する）。
【００１２】
連結フレーム２に左右一対の索状体（一例としてチェーンとする）８の一端をそれぞれ取り付け、図２のようにスプロケット６の下側を巻回し、スプロケット５の上側を巻回して、他端を連結フレーム４にそれぞれ取り付ける。
【００１３】
左右のチェーン８は、弛みが無く長さが等しくなる様に張る。上述の様にカウンターシャフト７でスプロケット５を連結したことにより左右のスプロケット５は等速回転し、左右のチェーン８の移動を同一にすることで、昇降させる動力を座席９の一端に加えるだけで前後左右バランスを保ったまま座席９は昇降させることができる。
【００１４】
ガイドローラ１１は、連結フレーム２と連結フレーム３に棒状のガイドレール１０を座席９の移動方向と平行に固定し、背もたれ２０の背面側にガイドレール１０に沿って回動可能に取り付ける。
【００１５】
左右方向から見てガイドレール１０とガイドローラ１１は直交しており、棒状のガイドローラ１０の外周に沿うようにガイドローラ１１の中間辺りがくびれた形状となっているため、座席９の前方への倒れ込みを防ぐとともに、前後左右の揺れを抑え、よりスムーズな座席９の昇降を可能とすることができる。
【００１６】
図３は、手動式の昇降手段Ａの一例を示す。ハンドル１２の下部を連結軸１３の一端に固定し、他端にウォーム軸１４を固定し、ウォーム軸１４を外枠１７に回動可能に取り付ける。ウォーム軸１４と噛み合うウォームホイール１５は外枠１７に軸着され、ウォームホイール１５と同軸上にギヤ２１をウォームホイール１５と連動して回転するように固定する。
【００１７】
ラック１６は左右のフレーム１のいずれか一方の側面に、座席の移動方向と平行に固定する。そして昇降手段Ａは、ラック１６とギヤ２１を噛み合わせ、ギヤ２１を回転させることで座席９をラック１６に沿って上下可能に座席９に備える。
【００１８】
座席９の位置は、昇降手段Ａにウォーム軸１４を取り入れた構成とすることで、座席９に座るなどして重量がかかっている状態の時などウォームホイール１５に回転力が加わってもウォーム軸１４のロック作用によりウォームホイール１５が回転しないため、座席９の昇降を止めるストッパー装置を必要とすることなく一定に保たれる。
【００１９】
図４には、電動式の昇降手段Ｂの一例を示す。この構成は、操作板１９に連動するギヤードモータ１８を外枠１７に固定し、ギヤードモータ１８の出力軸を連結軸１３の一端に固定し、他端をウォーム軸１４に固定し、ウォーム軸１４を外枠１７に回動可能に取り付ける。ウォーム軸１４と噛み合うウォームホイール１５は外枠１７に軸着され、ウォームホイール１５と同軸上にギヤ２１をウォームホイール１５と連動して回転するように固定する。
【００２０】
ラック１６は左右のフレーム１のいずれか一方の側面に、座席の移動方向と平行に固定する。そして昇降手段Ｂは、ラック１６とギヤ２１を噛み合わせ、ギヤ２１を回転させることで座席９をラック１６に沿って上下可能に座席９に備える。
【００２１】
そして、昇降手段Ｂも昇降手段Ａと同様にウォーム軸１４を取り入れた構成とすることで、座席９に座るなどして重量がかかっている状態の時などウォームホイール１５に回転力が加わってもウォーム軸１４のロック作用によりウォームホイール１５が回転しないため、座席９の昇降を止めるストッパー装置やギヤードモータをブレーキ付にする必要がなく、座席９は一定に保たれる。
【００２２】
昇降手段Ａ，昇降手段Ｂは、座席９の昇降を止めるストッパー装置をつけたり、ブレーキ付きのギヤードモータを使用することでウォーム軸１４を使用しない構成も考えられる。例えば、ウォームギヤ機構に換え、巻取りドラムとワイヤとの構成により昇降させるようにしてもよいが、この場合にはブレーキ部が必要となる。
【００２３】
図７，図８にチェーン８の長さを調節する伸縮手段Ｃの一例を示す。
伸縮手段Ｃは、左右一対のチェーン８を連結フレームに固定していた位置に、回転体（一例としてスプロケットとする）２２を回転自在に左右それぞれ取り付け、連結フレーム２に固定していた側のチェーン８の端にスプロケット２２を巻回させて、回転体（一例としてスプロケットとする）２３に取り付ける。スプロケット２３は、フレーム１の連結フレーム３が固定されている付近に、シャフト２４を回動可能に支持する軸受２５を固定し、シャフト２４の回転に沿って回転するように固定する。
【００２４】
シャフト２４は一端と他端付近で左右の軸受２５にそれぞれ回転可能に支持され、他端は軸受２５から突出している。その突出した先端に調整ノブ２６を取り付ける。調整ノブ２６を回転させることによってスプロケット２３が回転し、チェーン８を巻き取ることにより、座席９の傾斜角が変化する。
【００２５】
上記した伸縮手段Ｃの他にも電動でチェーン８を巻き取るものや、車のサイドブレーキのようにレバーで引いて調節するものなどが考えられる。
なおスプロケット２３には、回転を係止させる係合部が必要であるが、ここでの説明を略している。
【００２６】
図１，図３，図４に示すように、座席９はチェーン８と座席９の横に取り付けた昇降手段Ａ又は昇降手段Ｂによって支持されているため、座席９と床面との間は空間となる。そのため、座席９は床面上まで下降でき、足の不自由な方等の乗り降りを容易にすることができる。
【００２７】
図５は、本発明の機構を車椅子に使用した例を示す。これにより、座席９を床面付近まで下降させたときには障害者等の椅子への乗り降り、また座席９をベッドの寝床面付近まで上昇させることで椅子とベッド間の移動、そして介護者への負担を軽減させることができる。
【００２８】
図６は、座席９を下降させた時の様子を示したものであり、使用者が床面から座席９へ移動することが容易にできる。また、反対に座席９を上昇させて高い位置に移動させることもできる。
【００２９】
【発明の効果】
以上詳述したように請求項１記載の発明は、座席の一端に昇降手段を設けるだけで、座席９のバランスを保ち、低い位置から高い位置まで昇降させることができるので、床面から乗り込んで昇降手段によって座席をベッドの寝床面付近まで上昇させベッドへ移動するなど使用者、または介護者への負担を軽減させる効果がある。
【００３０】
更に、本発明は、座席の昇降を止めるストッパー装置を設けなくても、座席の自重や使用者の体重によって座席が下降することなく、昇降手段を操作するときのみ座席の昇降が可能となるため、軽量安価となる効果もある。
【００３１】
請求項２記載の発明は、座席の傾斜角を変化させることで、使用者の体形合わせたいときや、長時間使用して姿勢を変えたいときなどの使用者の快適性を高める効果がある。
【図面の簡単な説明】
【図１】基本的な昇降装置付き椅子を示す正面図。
【図２】索状体と回転体との機構、またガイドローラとガイドレールとの機構を示す断面図。
【図３】手動式の昇降装置を設けた昇降装置付き椅子の側面図。
【図４】電動式の昇降装置を設けた昇降装置付き椅子の側面図。
【図５】昇降装置付き椅子を車椅子を例に示した側面図。
【図６】座席を昇降させた様子を示す側面図。
【図７】伸縮手段を示す断面側面図。
【図８】伸縮手段を示す背面図。
【符号の説明】
１    フレーム
５    回転体（スプロケット）
６    回転体（スプロケット）
７    カウンターシャフト
８    索状体
９    座席
１４    ウォーム軸
Ａ    昇降手段
Ｂ    昇降手段
Ｃ    伸縮手段
【図１】
0003997452.tif 000002
【図２】
0003997452.tif 000003
【図３】
0003997452.tif 000004
【図４】
0003997452.tif 000005
【図５】
0003997452.tif 000006
【図６】
0003997452.tif 000007
【図７】
0003997452.tif 000008
【図８】
0003997452.tif 000009